(57)【特許請求の範囲】
【請求項１】
長尺な操作棒の先端に連結して使用される先端工具であって、
前記操作棒の長軸方向に対して直交する方向に伸縮可能な本体と、
前記本体に取付けられ前記本体を伸縮させる伸縮手段と、
前記本体に取付けられ被掛止物に掛止可能な２つの掛止手段とを備え、
前記掛止手段は、前記被掛止物に設けられている溝部に引掛かることで前記被掛止物に掛止可能であり、前記本体の伸縮に伴い互いの距離が変化するように配設されていることを特徴とする先端工具。
【請求項２】
前記伸縮手段は、前記本体の伸縮方向に対して直交する方向に突出して設けられた、前記本体に対し前記操作棒を長軸周りに回転自在に連結可能な連結手段を備え、
前記操作棒と前記連結手段とが連結した状態で前記操作棒が前記本体に対し長軸周りに回転すると前記本体が伸縮することを特徴とする請求項１に記載の先端工具。
【請求項３】
さらに把持手段を備える間接活線工具により把持可能な前記本体に取付けられた被把持体を備え、
前記被把持体は、前記連結手段が突出している方向と同じ方向に突出するように取付けられていることを特徴とする請求項２に記載の先端工具。
【請求項４】
前記被掛止物は、一方の長尺な操作棒の先端に連結されたストレーリンクトングが電線を把持し、もう一方の長尺な操作棒の先端に連結されたストレーリンクトングが円筒体の圧縮スリーブ又は前記圧縮スリーブに挿入された他の電線を把持した状態から電線を圧縮スリーブに挿入する間接活線作業における２つの前記ストレーリンクトングであり、
２つの前記ストレーリンクトングが前記掛止手段の間に位置するように、２つの前記掛止手段を、それぞれ前記ストレーリンクトングに掛止させ、前記伸縮手段により前記本体を収縮させることで、２つの前記ストレーリンクトングの互いの距離を縮め、前記電線を前記圧縮スリーブに挿入することを特徴とする請求項１から３のいずれか１項に記載の先端工具。
【発明の詳細な説明】
【技術分野】
【０００１】
本発明は、長尺な操作棒の先端に連結して使用される先端工具に関する。
【背景技術】
【０００２】
従来の間接活線作業における圧縮スリーブを用いた電線の接続作業を図９から図１４を用いて説明する。なお絶縁操作棒６２、６３、６４は、間接活線作業に用いられる公知の長尺な絶縁操作棒であり、先端には、各種先端工具のジョイントに係止するピン７１が設けられている。またストレーリンクトング７２、７３は、電線５２、５３や圧縮スリーブ５１等を把持する公知のストレーリンクトングであり、図１４に示すように側面には溝部７５が形成されており、根元部分には絶縁操作棒６２、６３と着脱自在に連結するジョイント７６が設けられている。
【０００３】
まず絶縁操作棒６２の先端にストレーリンクトング７２（図１４参照）を装着した間接活線工具で圧縮スリーブ５１を把持し、絶縁操作棒６３の先端にストレーリンクトング７３を装着した、もう１つの間接活線工具で１本目の電線５３を把持し、電線５３の先端がばらけないように電線５３を圧縮スリーブ５１に挿入する。電線５３の挿入が不十分なときには、絶縁操作棒６４の先端にタイスティックハンマー８１を装着した間接活線工具で圧縮スリーブ５１を把持しているストレーリンクトング７２を叩き、電線５３を圧縮スリーブ５１の奥まで挿入する（図９参照）。圧縮スリーブ５１には油性グリス等のコンパウンド（図示省略）が充填されており、一度、電線５３を圧縮スリーブ５１に挿入すると抜け難くなっている。なお電線５３（５２）が圧縮スリーブ５１の奥まで挿入されたか否かの確認は、通常、目視で行っている。
【０００４】
電線５３が圧縮スリーブ５１の奥まで挿入された状態で、油圧圧縮器（図示省略）の圧縮ヘッドを、圧縮ヘッドの開口部が目視可能な方向から圧縮スリーブ５１に沿わせ、圧縮スリーブ５１の圧縮箇所に油圧圧縮器の自重等の無理な荷重が加わらないように注意しながら圧縮スリーブ５１を圧縮し１本目の電線５３を圧縮スリーブ５１に固定する。圧縮ヘッドが開口していることを確認して油圧圧縮器を圧縮スリーブ５１から取外す（図１０参照）。
【０００５】
１本目の電線５３を把持しているストレーリンクトング７３を取外して２本目の電線５２を把持し、圧縮スリーブ５１を把持しているストレーリンクトング７２の把持位置を圧縮スリーブ５１の圧縮した方に移動させ、圧縮スリーブ５１に１本目の電線５３を挿入した方とは反対側から２本目の電線５２を挿入する（図１１参照）。タイスティックハンマー８１で２本目の電線５２を把持しているストレーリンクトング７３を叩き、電線５２を圧縮スリーブ５１の奥まで挿入する（図１２参照）。電線５２が圧縮スリーブ５１の奥まで挿入された状態で、圧縮スリーブ５１を圧縮して２本目の電線５２を圧縮スリーブ５１に固定する（図１３参照）。ストレーリンクトング７２、７３を電線５２及び圧縮スリーブ５１から取外し、作業が完了する。
【０００６】
以上のような手順で電線の接続作業を行うが、上記作業を作業者が高所作業車のバケット内又は電柱上から行う必要があり、作業し難い。特に、２本目の電線５２を把持した状態のストレーリンクトング７３をタイスティックハンマー８１で叩く際に、タイスティックハンマー８１が電線５２に干渉し作業性が悪い。
【０００７】
電線を圧縮スリーブに挿入する作業の作業性を改善すべく、ストレーリンクトング７２、７３に相当する２つの把持具をラックアンドピニオンギアで連結し、絶縁操作棒による横方向の操作を容易に行うことが可能な工具が提案されている（例えば、特許文献１参照）。またバネの付勢力を用いて、電線を横方向に移動させ圧縮スリーブに挿入する工具が提案されている（例えば、特許文献２参照）。
【先行技術文献】
【特許文献】
【０００８】
【特許文献１】特開平１０−２２０３９号公報
【特許文献２】特開２０１４−１２４０４１号公報
【発明の概要】
【発明が解決しようとする課題】
【０００９】
特許文献１に記載の工具を用いれば、絶縁操作棒による横方向の操作を容易に行うことが可能であり、電線を圧縮スリーブに挿入する作業が容易になるが、把持具の先端にラックアンドピニオンギアが配設され、ラックアンドピニオンギアにより２つの把持具が連結されているため、これらを操作して電線及び圧縮スリーブを把持する作業が困難である。
【００１０】
特許文献２に記載の工具を用いれば、絶縁操作棒による横方向の操作が不要となり、作業性が向上するが、電線と圧縮スリーブとの互いの芯の位置がずれると挿入不良となり、かえって手間がかかってしまう。
【００１１】
本発明の目的は、長尺な操作棒による作業の作業性及び安全性を向上させる、使い勝手の良い先端工具を提供することである。
【課題を解決するための手段】
【００１２】
本発明は、長尺な操作棒の先端に連結して使用される先端工具であって、前記操作棒の長軸方向に対して直交する方向に伸縮可能な本体と、前記本体に取付けられ前記本体を伸縮させる伸縮手段と、前記本体に取付けられ被掛止物に掛止可能な２つの掛止手段とを備え、前記掛止手段は、前記被掛止物に設けられている溝部に引掛かることで前記被掛止物に掛止可能であり、前記本体の伸縮に伴い互いの距離が変化するように配設されていることを特徴とする先端工具である。
【００１３】
また本発明の先端工具において、前記伸縮手段は、前記本体の伸縮方向に対して直交する方向に突出して設けられた、前記本体に対し前記操作棒を長軸周りに回転自在に連結可能な連結手段を備え、前記操作棒と前記連結手段とが連結した状態で前記操作棒が前記本体に対し長軸周りに回転すると前記本体が伸縮することを特徴とする。
【００１４】
また本発明の先端工具は、さらに把持手段を備える間接活線工具により把持可能な前記本体に取付けられた被把持体を備え、前記被把持体は、前記連結手段が突出している方向と同じ方向に突出するように取付けられていることを特徴とする。
【００１６】
また本発明の先端工具において、前記被掛止物は、一方の長尺な操作棒の先端に連結されたストレーリンクトングが電線を把持し、もう一方の長尺な操作棒の先端に連結されたストレーリンクトングが円筒体の圧縮スリーブ又は前記圧縮スリーブに挿入された他の電線を把持した状態から電線を圧縮スリーブに挿入する間接活線作業における２つの前記ストレーリンクトングであり、２つの前記ストレーリンクトングが前記掛止手段の間に位置するように、２つの前記掛止手段を、それぞれ前記ストレーリンクトングに掛止させ、前記伸縮手段により前記本体を伸縮させることで、２つの前記ストレーリンクトングの互いの距離を縮め、前記電線を前記圧縮スリーブに挿入することを特徴とする。
【発明の効果】
【００１７】
本発明の先端工具によれば、操作棒の長軸方向に対して直交する方向に伸縮可能な本体と、本体を伸縮させる伸縮手段と、被掛止物に掛止可能な２つの掛止手段とを備え、掛止手段は、本体の伸縮に伴い互いの距離が変化するので、伸縮手段により本体を伸縮させることで掛止手段により掛止した被掛止物を容易に動かすことができる。このような先端工具は、非常に使い勝手が良く、長尺な操作棒による作業の作業性及び安全性を向上させることができる。
【図面の簡単な説明】
【００１８】
【図１】本発明の第１実施形態の先端工具１の正面図である。
【図２】図１の先端工具１の底面図である。
【図３】図１の先端工具１を用いた、圧縮スリーブ５１による電線５２、５３の接続作業を示す図である。
【図４】図１の先端工具１を用いた、圧縮スリーブ５１による電線５２、５３の接続作業を示す図である。
【図５】図１の先端工具１を用いた、圧縮スリーブ５１による電線５２、５３の接続作業を示す図である。
【図６】図１の先端工具１を用いた、圧縮スリーブ５１による電線５２、５３の接続作業を示す図である。
【図７】図１の先端工具１を用いた、圧縮スリーブ５１による電線５２、５３の接続作業を示す図である。
【図８】図１の先端工具１を用いた、圧縮スリーブ５１による電線５２、５３の接続作業を示す図である。
【図９】従来の圧縮スリーブ５１による電線５２、５３の接続作業を示す図である。
【図１０】従来の圧縮スリーブ５１による電線５２、５３の接続作業を示す図である。
【図１１】従来の圧縮スリーブ５１による電線５２、５３の接続作業を示す図である。
【図１２】従来の圧縮スリーブ５１による電線５２、５３の接続作業を示す図である。
【図１３】従来の圧縮スリーブ５１による電線５２、５３の接続作業を示す図である。
【図１４】ストレーリンクトング７２（７３）の側面図である。
【発明を実施するための形態】
【００１９】
図１は、本発明の第１実施形態の先端工具１の正面図である。図２は、図１の先端工具１の底面図である。図９から図１４に示す従来の圧縮スリーブによる電線５２、５３の接続作業と同一の構成には同一の符号を付して説明を省略する。本発明の第１実施形態の先端工具１は、例えば、長尺な絶縁操作棒６１、６２、６３、６４及び絶縁ヤットコ６５を用いて電線５２、５３を圧縮スリーブ５１に挿入する間接活線作業を行う際の補助具として用いられる。
【００２０】
先端工具１は、外筒１１及び長手方向に移動可能に外筒１１に収容された内筒１２の２つの円筒体により伸縮自在に構成された本体と、外筒１１の胴部に取付けられ本体を伸縮させる伸縮手段であるギアボックス１３と、外筒１１の胴部に取付けられ間接活線工具である絶縁ヤットコ６５により把持容易な被把持体１４と、外筒１１の一端に取付けられストレーリンクトング７２に掛止可能な掛止手段であるフック１５と、内筒１２の一端に取付けられストレーリンクトング７３に掛止可能な掛止手段であるフック１６とを備え、絶縁操作棒６１でギアボックス１３を操作することで内筒１２が外筒１１に対し長軸方向に移動し本体が伸縮し、これに伴い２つのフック１５、１６の互いの距離が変化する。なお本実施形態の先端工具１において、被掛止物は、ストレーリンクトング７２、７３である。
【００２１】
外筒１１は、中空部に内筒１２を収容可能に内径の大きさが内筒１２の外径よりも大きく、内筒１２が突出可能に、一端が開口している。外筒１１の開口している方の一端（開口端）には、内筒１２が外筒１１内を移動する際のガイド及び抜止めとして機能するカバー２１が設けられている。また外筒１１の開口していない方の一端（閉止端）には、掛止手段であるフック１５が設けられている。なお外筒１１は、円筒体に限定されるものではなく、例えば、角筒体でもよい。
【００２２】
外筒１１の材質は、特定の材質に限定されるものではないが、先端工具１は絶縁操作棒６１の先端に連結して使用するので、操作性を考慮すると軽い材質であることが好ましい。以下、内筒１２、ギアボックス１３、被把持体１４、フック１５、１６の材質についても同様に、強度を確保可能な軽い材質であることが好ましい。
【００２３】
内筒１２は、外筒１１よりも長く、長軸方向に往復可能に外筒１１に収容されており、一端が外筒１１の開口端から突出している。内筒１２の端部のうち外筒１１から突出している方の端部には、掛止手段であるフック１６が設けられている。また内筒１２の胴部には、後述するギアボックス１３のピニオンギア（図示省略）と噛合うラックギア２２が形成されている。なお内筒１２は、円筒体である必要はなく、例えば、円柱体や角柱体等でもよいが、軽量化を考慮すると中空の形状であることが好ましい。
【００２４】
ギアボックス１３は、内筒１２のラックギア２２と噛合うピニオンギアと、ピニオンギアを収容する筐体２４と、筐体２４に回転自在に連結され絶縁操作棒６１を着脱可能なジョイント２５とを備え、外筒１１の胴部に連結されている。
【００２５】
ギアボックス１３は、筐体２４に対してジョイント２５を回転させるとピニオンギアが回転するように構成されており、ジョイント２５に連結した絶縁操作棒６１を長軸周りに回転させることでピニオンギアが回転し、ピニオンギアと内筒１２のラックギア２２との作用によりピニオンギアの回転方向に応じて内筒１２を長軸方向に往復動させることで本体を伸縮させる。
【００２６】
ジョイント２５は、円筒体であり、絶縁操作棒６１の先端に設けられたピン７１を係止させる係止溝２６が胴部に形成された、いわゆるツイストロック機構である。ジョイント２５は、本体の伸縮方向（長軸方向）に対して直交する方向に突出するように設けられている。
【００２７】
被把持体１４は、外筒１１の胴部に連結されている連結部２８と、連結部２８から突出するように設けられた板状の被把持部２９とを備え、内筒１２の移動を妨げないように、外筒１１の胴部に連結されている。連結部２８の連結方法は、特定の方法に限定されるものではなく、外筒１１に接着、嵌合、螺合、又は外筒１１を挟持して螺合する等の方法を適宜選択すればよい。また連結部２８（被把持体１４）は、外筒１１と一体的に形成されていてもよい。
【００２８】
被把持部２９は、絶縁ヤットコ６５等の間接活線工具で把持し易いように平板状に形成されている。また被把持部２９は、被把持部２９を絶縁ヤットコ６５等で把持した状態で絶縁操作棒６１によるギアボックス１３の操作を容易に行うことができるように、ギアボックス１３のジョイント２５と同じ方向に突出するように形成されている。
【００２９】
なお被把持部２９の形状は、平板状に限定されるものではなく、絶縁ヤットコ６５等の間接活線工具で把持し易い形状であればよい。また被把持部２９には、滑り止めとして、表面がジグザグ状に形成されていてもよく、表面に薄板状のゴム等が貼付けられていてもよい。さらに被把持部２９に代えて、絶縁操作棒を着脱可能なジョイント（図示省略）が設けられていてもよい。なおジョイントを設ける場合には、ギアボックス１３のジョイント２５とは異なり、ジョイントが連結部２８に対して回転しないように構成する。
【００３０】
フック１５、１６は、ストレーリンクトング７２、７３の側面に形成されている溝部７５に外側（フック１５、１６から見て本体が位置する方向の反対側）から掛止可能に鉤爪状に形成されている。
【００３１】
なお本体の伸縮前後の先端工具１の長さについては、後述する。
【００３２】
絶縁操作棒６１は、間接活線作業に用いられる公知の長尺な絶縁操作棒であり、各種先端工具に設けられたジョイント２５のような連結手段と着脱自在に連結する連結機構が先端に設けられており、連結機構には、ジョイント２５に係止するピン７１が設けられている。
【００３３】
絶縁ヤットコ６５は、開閉式の把持具であるヤットコ９１が長尺な絶縁操作棒の先端に直接、連結された公知の間接活線工具であり、手元部分に設けられた操作部９２を操作することでヤットコ９１が開閉する。
【００３４】
圧縮スリーブ５１は、円筒体の部材であり、電線５２、５３の被覆を剥取った部分を挿入した状態で圧縮することで電線５２、５３を固定し電気的に接続する。参考に圧縮スリーブ５１の長さの一例を示すと、２０ｃｍ程度である。
【００３５】
なお絶縁操作棒６１、６２、６３、６４、絶縁ヤットコ６５、ストレーリンクトング７２、７３、圧縮スリーブ５１、電線５２、５３、及び後述するタイスティックハンマー８１は、特定のものに限定されるものではない。
【００３６】
次に本実施形態の先端工具１を用いた、圧縮スリーブ５１による電線５２、５３の接続作業について、代表的な２つの作業手順を説明する。図３から図８は、図１の先端工具１を用いた、圧縮スリーブ５１による電線５２、５３の接続作業を示す図である。なお図３及び図４と、図５から図８とは、それぞれ異なる作業手順を示している。また図３から図８では、先端工具１の構成要素の符号を省略している。
【００３７】
まず図３及び図４に示す作業について説明する。従来の間接活線作業における圧縮スリーブによる電線の接続作業と同様、絶縁操作棒６２、６３の先端にストレーリンクトング７２、７３を装着した２本の間接活線工具と、絶縁操作棒６４の先端にタイスティックハンマー８１を装着した間接活線工具を用いて、圧縮スリーブ５１の片側に１本目の電線５３を固定し、２本目の電線５２の先端を圧縮スリーブ５１の反対側に挿入する（図９から図１１参照）。
【００３８】
次に先端工具１を絶縁操作棒６１に装着し、先端工具１の被把持部２９を絶縁ヤットコ６５で把持し先端工具１を持ち上げ、図１１の状態のストレーリンクトング７２、７３に対して、２つのストレーリンクトング７２、７３の外側の溝部７５に先端工具１のフック１５、１６を掛止させる（図３参照）。この状態から絶縁操作棒６１を長軸周りに回転させ先端工具１の本体を収縮させると、２つのストレーリンクトング７２、７３の距離が縮まり、２本目の電線５２が圧縮スリーブ５１の奥まで挿入される（図４参照）。なお電線５２が圧縮スリーブ５１の奥まで挿入されたか否かの確認は、従来と同様、目視で行う。
【００３９】
電線５２が圧縮スリーブ５１の奥まで挿入された状態で、絶縁操作棒６１を挿入時とは反対回りに回転させ先端工具１の本体を伸長させてフック１５、１６の先端をストレーリンクトング７２、７３の溝部７５から外し、絶縁ヤットコ６５で先端工具１を持ち上げ、先端工具１をストレーリンクトング７２、７３から取外す。その後、従来と同様、油圧圧縮器等で圧縮スリーブ５１を圧縮して２本目の電線５２を圧縮スリーブ５１に固定し（図１３参照）、ストレーリンクトング７２、７３を電線５２及び圧縮スリーブ５１から取外し、作業が完了する。
【００４０】
なお図９に示した、タイスティックハンマー８１を用いて１本目の電線５３を圧縮スリーブ５１に挿入する作業についても、タイスティックハンマー８１に代えて、本実施形態の先端工具１を用いて２つのストレーリンクトング７２、７３同士の距離を縮め、圧縮スリーブ５１に電線５３を挿入するようにしてもよい。
【００４１】
次に図５から図８に示す作業について説明する。まず従来の間接活線作業における圧縮スリーブによる電線の接続作業と同様、絶縁操作棒６２、６３の先端にストレーリンクトング７２、７３を装着した２本の間接活線工具と、絶縁操作棒６４の先端にタイスティックハンマー８１を装着した間接活線工具を用いて、圧縮スリーブ５１の片側に１本目の電線５３を奥まで挿入する（図９参照）。
【００４２】
次に圧縮スリーブ５１を把持していたストレーリンクトング７２を圧縮スリーブ５１から外して２本目の電線５２を把持し、先端を圧縮スリーブ５１に挿入する（図５参照）。先端工具１を絶縁操作棒６１に連結し、先端工具１の被把持部２９を絶縁ヤットコ６５で把持して先端工具１を持ち上げ、２つのストレーリンクトング７２、７３の外側の溝部７５に先端工具１のフック１５、１６を掛止させる（図６参照）。この状態から絶縁操作棒６１を長軸周りに回転させ先端工具１の本体を収縮させると、２つのストレーリンクトング７２、７３の距離が縮まり、２本目の電線５２が圧縮スリーブ５１の奥まで挿入される（図７参照）。
【００４３】
２本の電線５２、５３が圧縮スリーブ５１の奥まで挿入された状態で、絶縁操作棒６１を挿入時とは反対回りに回転させて先端工具１の本体を伸長させ、フック１５、１６の先端をストレーリンクトング７２、７３の溝部７５から外し、絶縁ヤットコ６５で先端工具１を持ち上げ、先端工具１をストレーリンクトング７２、７３から取外す。油圧圧縮器等で圧縮スリーブ５１を圧縮して２本の電線５２、５３を圧縮スリーブ５１に固定し（図８参照）、ストレーリンクトング７２、７３を２本の電線５２、５３から取外し、作業が完了する。
【００４４】
なお本実施形態の先端工具１において、本体を伸長し切ったときの片方のフック１５の先端から他方のフック１６の先端までの長さＬは、２つのストレーリンクトング７２、７３にフック１５、１６を掛止させて先端工具１を取付可能に、先端工具１を２つのストレーリンクトング７２、７３に取付けるときの状態（例えば、図３及び図６参照）において、２つのストレーリンクトング７２、７３の外側の側面の間の距離以上になるように設定される。
【００４５】
また先端工具１において、本体を収縮し切ったときの片方のフック１５の先端から他方のフック１６の先端までの長さ（図示省略）は、２本の電線５２、５３を圧縮スリーブ５１の奥まで挿入可能に、２本の電線５２、５３を圧縮スリーブ５１の奥まで挿入した状態（例えば、図４及び図７参照）において、２つのストレーリンクトング７２、７３の外側の側面の間の距離から、２つのストレーリンクトング７２、７３の外側の側面の溝部７５の深さを減算した距離以下になるように設定される。
【００４６】
このように、本実施形態の先端工具１を用いると、２本の電線５２、５３又は電線５２と圧縮スリーブ５１とを把持しているストレーリンクトング７２、７３に本先端工具１を掛止させて取付け、絶縁操作棒６１を長軸周りに回転させるだけで、電線５２（５３）を圧縮スリーブ５１の奥まで挿入することができるので、作業を容易に、かつ安全に行うことができる。先端工具１は、電線５２、５３、圧縮スリーブ５１を把持する必要がなく、ストレーリンクトング７２、７３に掛止させるだけでよいので、非常に使い勝手が良い。
【００４７】
また本実施形態の先端工具１を用いると、電線５２、５３を１本ずつ圧縮スリーブ５１に挿入して圧縮スリーブ５１を圧縮する従来と同様の手順に限らず、先に２本の電線５２、５３を圧縮スリーブ５１に挿入してから、圧縮スリーブ５１の圧縮をまとめて行うことも可能である。これにより絶縁操作棒で油圧圧縮器を持ち上げる回数を減らすことが可能であり、作業効率が向上し作業者の負担が軽減される。
【００４８】
以上、第１実施形態の先端工具１を用いて、本発明の先端工具を説明したが、本発明の先端工具は、上記実施形態に限定されるものではなく要旨を変更しない範囲で変形することができる。例えば、本発明の先端工具において、本体は、２つの円筒体で構成されたものに限定されるものではなく、３つ以上の円筒体や角筒体等で構成されていてもよい。また２つの棒体が伸縮手段を介して互いにスライド自在に平行に並べて連結されていてもよい。
【００４９】
また本発明の先端工具は、本体及び伸縮手段を、例えば、電動シリンダ（図示省略）等で構成することも可能である。
【００５０】
本発明の先端工具は、ジョイント２５を設けることなく、ギアボックス１３の筐体２４に絶縁操作棒６１が直接、回転自在に連結され着脱不能に構成されていてもよい。
【００５１】
被把持体１４は、絶縁ヤットコ６５等で把持されることで、先端工具１を持ち上げるときに先端工具１が絶縁操作棒６１に対して回転してしまうことを防止しているが、例えば、ギアボックス１３にジョイント２５の回転を規制するロック機構（図示省略）を設け、先端工具１を持ち上げるときにロック機構によりジョイント２５の回転を規制することで、絶縁ヤットコ６５を用いることなく絶縁操作棒６１だけで先端工具１を容易に持ち上げることができる。この場合には、被把持体１４は、必ずしも設けられていなくてもよい。
【００５２】
掛止手段は、必ずしもストレーリンクトング７２、７３の側面に形成されている溝部７５に掛止するものでなくてもよく、例えば、ストレーリンクトング７２、７３の側面に当接して掛止する、本体の長手方向に対して直角に形成された板状の部材であってもよい。
【００５３】
また本発明の先端工具の用途は、電線を圧縮スリーブに挿入する用途に限定されるものではなく、長尺な操作棒の長軸方向に対して直交する方向への操作が必要な作業に好適に用いることができる。
【００５４】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５５】
１  先端工具
１１  外筒
１２  内筒
１３  ギアボックス
１４  被把持体
１５、１６  フック
２５  ジョイント
５１  圧縮スリーブ
５２、５３  電線
６１、６２、６３、６４  絶縁操作棒
６５  絶縁ヤットコ
７２、７３  ストレーリンクトング
７５  溝部
【図１】
0006458508.tif 000002
【図２】
0006458508.tif 000003
【図３】
0006458508.tif 000004
【図４】
0006458508.tif 000005
【図５】
0006458508.tif 000006
【図６】
0006458508.tif 000007
【図７】
0006458508.tif 000008
【図８】
0006458508.tif 000009
【図９】
0006458508.tif 000010
【図１０】
0006458508.tif 000011
【図１１】
0006458508.tif 000012
【図１２】
0006458508.tif 000013
【図１３】
0006458508.tif 000014
【図１４】
0006458508.tif 000015